(57)【要約】  【課題】  ビルトイン型加熱調理器の扉内部での通気量を増加でき、扉の昇温抑制効果を高めることができる加熱調理器を提供する。  【解決手段】  両側面に開口２２，２３を備える通気路２１を有する扉２と、該扉２の周りに配置されたビルトインフレーム３とを備える加熱調理器であって、該ビルトインフレーム３の、前記扉２の一側面と対向する位置に周面を貫通する通気孔３４，３５を設け、前記扉２の通気路２１から排気される空気の抵抗を低減するようにした。【選択図】        図２
2005245629.tif 000002
【特許請求の範囲】
【請求項１】
加熱調理器が格納されるべき格納孔の縁部に取付けられるビルトインフレームにおいて、前記加熱調理器の側面と対向すべき位置に周面を貫通する通気孔を有することを特徴とするビルトインフレーム。
【請求項２】
加熱調理器の側面と対向すべき内枠部、及び該内枠部と離隔した位置で前記内枠部に対向する外枠部を有し、前記加熱調理器が格納されるべき格納孔の縁部に取付けられるビルトインフレームにおいて、前記内枠部は周面を貫通する通気孔を有することを特徴とするビルトインフレーム。
【請求項３】
前記通気孔と前記外枠部との間に、前記格納孔の内面と対向すべき隔板を有する請求項２記載のビルトインフレーム。
【請求項４】
前面が開口する加熱室を有する加熱調理器本体と、前記加熱室を開閉し、両側面に開口する通気路を有する扉と、該扉の周りに配置されたビルトインフレームとを備えた加熱調理器において、前記ビルトインフレームは前記扉の側面と対向する位置に周面を貫通する通気孔を有することを特徴とする加熱調理器。
【請求項５】
前記ビルトインフレームは、前記扉の側面と対向する位置に周面を貫通する通気孔を有する内枠部、及び該内枠部と離隔した位置で前記内枠部に対向する外枠部を備えている請求項４記載の加熱調理器。
【請求項６】
前記ビルトインフレームは、前記通気孔と前記外枠部との間に隔板を有する請求項５記載の加熱調理器。
【請求項７】
前記扉は両側面に開口を有する枠部材と、該枠部材に互いに離隔して保持された３枚のガラス板とを備えており、各ガラス板間に、各開口に連通する通気路を有する請求項４乃至６のいずれか一つに記載の加熱調理器。
【請求項８】
一方の開口は他方の開口の開口面積よりも大きい開口面積としてある請求項４乃至７のいずれか一つに記載の加熱調理器。
【請求項９】
前記扉の外側に配置されたガラス板及び中間に配置されたガラス板の一方又は両方の面積は前記加熱室の開口面積よりも大きいことを特徴とする請求項７記載の加熱調理器。
【発明の詳細な説明】
【技術分野】
【０００１】
本発明は壁部に埋込設置される加熱調理器の格納孔の縁部に取付けられるビルトインフレーム、及びこれを用いた電子レンジ等の加熱調理器に関する。
【背景技術】
【０００２】
加熱調理器は壁部に埋込設置されるビルトイン型と、調理台等に載置される載置型とがあり、何れも前面を開口する加熱室及び該加熱室に調理熱を発生させるためのヒータ等の熱源が設けられた加熱調理器本体と、前記開口部を開閉し、両側面に開口する通気路を有する扉とを備えており、一方の開口から扉の通気路に給気された空気を他方の開口から外部に排気することにより前記扉の温度上昇を抑制するように構成されている（例えば、特許文献１。）。
【０００３】
また、ビルトイン型の加熱調理器は、前記扉の周りにビルトインフレームが配置される。図１１は従来のビルトイン型加熱調理器の構成を示す拡大正面図、図１２は格納孔部分を縦断した側面図、図１３は扉側部分の断面図、図１４は扉側部分の一部の構成を示す側面図である。この加熱調理器は、前記加熱調理器本体１００、扉１０１及び該扉１００の一側に配置され、前記加熱室１０２の調理温度を制御するための制御部を動作させるべき操作手段を有する操作部１０３と、前記扉１０１の周りに配置され前記加熱調理器本体１００に取付けられたビルトインフレーム１０４とを備え、該ビルトインフレーム１０４が、加熱調理器が格納されるべき格納孔１０５を有するカップボード１０６の縁部に取付けられ、また、前記扉１０１の通気路１０７から熱風として排気された空気を、扉１０１の側面とビルトインフレーム１０４の内周面との間の隙間１０８から外部に排気するように構成されている。
【０００４】
また、ビルトインフレーム１０４は内枠部と、該内枠部と離隔した位置で前記内枠部に対向する外枠部と、内枠部及び外枠部に連なる連結板部とを備えており、内枠部が加熱調理器本体１００に取付けられ、外枠部がカップボード１０６に取付けられる。
【特許文献１】特開平９−２２９３７７号公報
【発明の開示】
【発明が解決しようとする課題】
【０００５】
ところが、ビルトイン型の加熱調理器にあっては、扉１０１の通気路１０７から熱風として排気された空気がビルトインフレーム１０４の内周面に当たって排気が抑えられ、しかも、扉１０１及びビルトインフレーム１０４間に、扉１０１を開閉することができる程度の比較的狭い隙間１０８が設けられているだけであるため、扉１０１の通気路１０７から熱風として排気された空気が扉１０１及びビルトインフレーム１０４間の隙間１０８から外部に排気されるときの抵抗が比較的大きくなり、扉１０１内部での通気量が減少し、扉１０１の温度が上昇し易くなる。この結果、扉１０１のガラス板を素手で触ることができない程度に熱くなったり、合成樹脂材料により形成されている扉の枠部材が熱変形したりすることがあり、改善策が要望されていた。
【０００６】
本発明は斯かる事情に鑑みてなされたものであり、主たる目的は加熱調理器の側面と対向すべき位置に周面を貫通する貫通孔を設けることにより、ビルトイン型加熱調理器の扉の通気路から排気される空気の抵抗を低減でき、扉内部での通気量を増加できるビルトインフレームを提供することにある。
【０００７】
また、他の目的は、内枠部に周面を貫通する通気孔を設けることにより、ビルトイン型加熱調理器の扉の通気路から排気される空気の抵抗を低減でき、扉内部での通気量を増加できるビルトインフレームを提供することにある。
【０００８】
また、他の目的は、内枠部の通気孔と外枠部との間に隔板を設けることにより、通気孔からビルトインフレーム内に給気された空気が格納孔の壁部に直接当たるのを防ぐことができるビルトインフレームを提供することにある。
【０００９】
さらに、他の目的は、ビルトインフレームであり、通気路が設けられている扉の側面と対向する位置に周面を貫通する通気孔を設けることにより、扉の通気路から排気される空気の抵抗を低減でき、扉内部での通気量を増加できる加熱調理器を提供することにある。
【００１０】
また、他の目的は、ビルトインフレームであり、通気路が設けられている扉の側面と対向する位置に周面を貫通する通気孔を有する内枠部を設けることにより、扉の通気路から排気される空気の抵抗を低減でき、扉内部での通気量を増加できる加熱調理器を提供することにある。
【００１１】
また、他の目的は、ビルトインフレームであり、内枠部の通気孔と外枠部との間に隔板を設けることにより、通気孔からビルトインフレーム内に給気された空気が格納孔の壁部に直接当たるのを防ぐことができる加熱調理器を提供することにある。
【００１２】
また、他の目的は、両側面に開口する枠部材に３枚のガラス板を保持し、各ガラス板間に、各開口に連通する通気路を設けることにより、扉内部での通気量を増加できる加熱調理器を提供することにある。
【００１３】
また、他の目的は、扉の一方の開口を他方の開口の開口面積よりも大きい開口面積とすることにより、扉内部での空気抵抗を低減でき、扉の通気路の空気を排気させ易い加熱調理器を提供することにある。
【００１４】
また、他の目的は、扉の外側に配置されたガラス板及び中間に配置されたガラス板の一方又は両方の面積を加熱室の開口面積よりも大きくすることにより、ガラス板による扉の断熱効果を高めることができる加熱調理器を提供することにある。
【課題を解決するための手段】
【００１５】
本発明に係るビルトインフレームは、加熱調理器が格納されるべき格納孔の縁部に取付けられるビルトインフレームにおいて、前記加熱調理器の側面と対向すべき位置に周面を貫通する通気孔を有することを特徴とする。
【００１６】
この発明にあっては、加熱調理器が格納される格納孔の縁部に取付けることにより、周面を貫通する通気孔を、加熱調理器の扉に設けられた通気路の開口と対向させることができ、前記通気路から排気された空気を前記通気孔から外部に排気することができるため、前記扉の通気路から排気される空気の抵抗を低減でき、扉内部での通気量を増加でき、扉の昇温抑制効果を高めることができる。
【００１７】
本発明に係るビルトインフレームは、加熱調理器の側面と対向すべき内枠部、及び該内枠部と離隔した位置で前記内枠部に対向する外枠部を有し、前記加熱調理器が格納されるべき格納孔の縁部に取付けられるビルトインフレームにおいて、前記内枠部は周面を貫通する通気孔を有することを特徴とする。
【００１８】
この発明にあっては、加熱調理器が格納される格納孔の縁部に取付けることにより、内枠部の通気孔を、加熱調理器の扉に設けられた通気路の開口と対向させることができ、前記通気路から排気された空気を前記通気孔からビルトインフレーム内に排気することができるため、前記扉の通気路から排気される空気の抵抗を低減でき、扉内部での通気量を増加でき、扉の昇温抑制効果を高めることができる。
【００１９】
本発明に係るビルトインフレームは、前記通気孔と前記外枠部との間に、前記格納孔の内面と対向すべき隔板を有することを特徴とする。
【００２０】
この発明にあっては、加熱調理器が格納される格納孔の縁部に取付けることにより、隔板を格納孔の内面と対向させることができ、通気孔からビルトインフレーム内に給気された空気が格納孔の壁部に直接当たるのを防ぐことができるため、格納孔の壁部の温度上昇を抑制することができ、格納孔の壁部耐久性を向上できる。
【００２１】
本発明に係る加熱調理器は、前面が開口する加熱室を有する加熱調理器本体と、前記加熱室を開閉し、両側面に開口する通気路を有する扉と、該扉の周りに配置されたビルトインフレームとを備えた加熱調理器において、前記ビルトインフレームは前記扉の側面と対向する位置に周面を貫通する通気孔を有することを特徴とする。
【００２２】
この発明にあっては、扉の通気路から排気された空気をビルトインフレームの周面を貫通する通気孔から外部に排気することができるため、前記扉の通気路から排気される空気の抵抗を低減でき、扉内部での通気量を増加でき、扉の昇温抑制効果を高めることができる。
【００２３】
本発明に係る加熱調理器は、前記ビルトインフレームは、前記扉の側面と対向する位置に周面を貫通する通気孔を有する内枠部、及び該内枠部と離隔した位置で前記内枠部に対向する外枠部を備えていることを特徴とする。
【００２４】
この発明にあっては、扉の通気路から排気された空気を内枠部の通気孔からビルトインフレーム内に給気することができるため、前記扉の通気路から排気される空気の抵抗を低減でき、扉内部での通気量を増加でき、扉の昇温抑制効果を高めることができる。
【００２５】
本発明に係る加熱調理器は、前記ビルトインフレームは、前記通気孔と前記外枠部との間に隔板を有することを特徴とする。
【００２６】
この発明にあっては、格納孔に加熱調理器本体が格納され、格納孔の縁部にビルトインフレームが取付けられたとき、隔板を格納孔の内面と対向させ得るため、ビルトインフレームの通気孔からビルトインフレーム内に給気された空気を隔板により案内して加熱調理器本体及び格納孔内面間の隙間に給気することができ、ビルトインフレーム内の空気が格納孔の壁部に直接当たるのを防ぐことができる。従って、格納孔の壁部の温度上昇を抑制することができ、格納孔の壁部耐久性を向上できる。
【００２７】
本発明に係る加熱調理器は、前記扉は両側面に開口を有する枠部材と、該枠部材に互いに離隔して保持された３枚のガラス板とを備えており、各ガラス板間に、各開口に連通する通気路を有することを特徴とする。
【００２８】
この発明にあっては、扉の通気路に給気される空気を、各ガラス板間の通気路を通過させ、通気路の開口から排気することができるため、扉内部での通気量を増加でき、扉の昇温抑制効果を高めることができる。
【００２９】
本発明に係る加熱調理器は、一方の開口は他方の開口の開口面積よりも大きい開口面積としてあることを特徴とする。
【００３０】
この発明にあっては、扉の通気路での空気抵抗を低減でき、通気路の空気を開口から排気させ易いため、扉の昇温抑制効果を高めることができる。
【００３１】
本発明に係る加熱調理器は、前記扉の外側に配置されたガラス板及び中間に配置されたガラス板の一方又は両方の面積は前記加熱室の開口面積よりも大きいことを特徴とする。
【００３２】
この発明にあっては、ガラス板による扉の断熱効果を高めることができる。
【発明の効果】
【００３３】
本発明によれば、扉の通気路から排気された空気を通気孔から外部に排気することができるため、前記扉の通気路から排気される空気の抵抗を低減でき、扉内部での通気量を増加でき、扉の昇温抑制効果を高めることができる。
【００３４】
また、本発明によれば、扉の通気路から排気された空気を通気孔からビルトインフレーム内に排気することができるため、前記扉の通気路から排気される空気の抵抗を低減でき、扉内部での通気量を増加でき、扉の昇温抑制効果を高めることができる。
【００３５】
さらに、本発明によれば、通気孔からビルトインフレーム内に給気された空気が格納孔の壁部に直接当たるのを防ぐことができるため、格納孔の壁部の温度上昇を抑制することができ、格納孔の壁部耐久性を向上できる。
【００３６】
また、本発明によれば、扉の通気路から排気された空気をビルトインフレームの通気孔から外部に排気することができ、扉の通気路から排気される空気の抵抗を低減できるため、扉内部での通気量を増加でき、扉の昇温抑制効果を高めることができる。
【００３７】
また、本発明によれば、扉の通気路から排気された空気を内枠部の通気孔からビルトインフレーム内に給気することができるため、扉内部での通気量を増加でき、扉の昇温抑制効果を高めることができる。
【００３８】
さらに、本発明によれば、ビルトインフレームの通気孔からビルトインフレーム内に給気された空気を隔板により案内して加熱調理器本体及び格納孔内面間の隙間に給気することができ、ビルトインフレーム内の空気が格納孔の壁部に直接当たるのを防ぐことができるため、格納孔の壁部の温度上昇を抑制することができ、格納孔の壁部耐久性を向上できる。
【００３９】
また、本発明によれば、給気される空気を各ガラス板間の通気路を通過させ、開口から排気することができるため、扉内部での通気量を増加でき、扉の昇温抑制効果を高めることができる。
【００４０】
また、本発明によれば、扉の通気路での空気抵抗を低減でき、通気路の空気を開口から排気させ易いため、扉の昇温抑制効果を高めることができる。
【００４１】
また、本発明によれば、ガラス板による扉の断熱効果を高めることができる。
【発明を実施するための最良の形態】
【００４２】
以下本発明をその実施の形態を示す図面に基づいて詳述する。
実施の形態１
図１は本発明に係る加熱調理器の構成を示す拡大正面図、図２は要部を横断した拡大平面図、図３は扉側部分の一部の構成を示す側面図、図４は加熱調理器が埋込設置される部分の断面図である。
【００４３】
図１の加熱調理器は台所等の壁部に設けられたカップボードＡの格納孔ａに埋込設置される電子レンジであり、前面が開口している加熱室１１、該加熱室１１に調理熱を発生させるためのヒータ又は高周波加熱用電源からなる熱源を有する加熱調理器本体１と、該加熱調理器本体１の前面側にその一側部が枢支され、加熱室１１を開閉する扉２と、該扉２の周りに配置され前記加熱調理器本体１の前面側に取付けられたビルトインフレーム３とを備えている。
【００４４】
加熱調理器本体１の後面側には吸込孔及び該吸込孔から内部に吸込んだ空気により加熱室１１部分を冷却するためのファン４が設けられており、また、前面側の扉２と並ぶ位置にはコントロールパネル５が設けられており、該コントロールパネル５に、加熱室１１の調理温度を制御するための制御部を動作させるべき操作釦を有する操作部６が設けられている。また、コントロールパネル５の扉２と対向する位置には通気口１０が上下に離隔して平行的に複数個設けられている。
【００４５】
扉２は両側面に開口２２，２３する通気路２１を有する。一側面の開口２２は排気口となり、通気口１０と対向する他側面の開口２３は給気口となり、該開口２３から通気路２１に給気された空気を枢支側の開口２２から外部に排気するように構成されている。また、扉２は外枠２１ｂと、該外枠２１ｂの内側に保持された内枠２１ｃとを有する矩形の枠部材と、外枠２１ｂに保持されたガラス板２１ｄと、内枠２１ｃに保持されたガラス板２１ｅとを備えており、外枠２１ｂ及び内枠２１ｃ間と、ガラス板２１ｄ，２１ｅ間とが互いに連通する通気路２１になっている。一方の開口２２は外枠２１ｂの一側壁に上下に離隔して平行的に複数個設けられており、他方の開口２３は外枠２１ｂの他側壁に上下に離隔して平行的に複数個設けられている。また、一方の開口２２は他方の開口２３の開口面積よりも大きい開口面積としてある。
【００４６】
ビルトインフレーム３は、扉２及び操作部６の周面に対向する内枠部３１と、該内枠部３１と離隔した位置で前記内枠部３１に対向する外枠部３２と、内枠部３１及び外枠部３２に連なる連結板部３３とを備えた断面略コ字形に形成されている。内枠部３１の開口２２と対向する部分には開口２２から排出された空気を給気すべき第１の通気孔３４が設けられており、外枠部３２の通気孔３４と対向する部分には内部に給気された空気を外部に排気すべき第２の通気孔３５が設けられている。第１の通気孔３４は上下に離隔して平行的に複数個設けられており、第２の通気孔３５は上下に離隔して直列的に複数個設けられている。また、ビルトインフレーム３の内部は、加熱調理器本体１の周面とカップボードＡの格納孔ａ内面との間の隙間Ｂに連通している。また、カップボードＡの後面側には前記隙間Ｂに連通する排気路Ｃが設けられている。
【００４７】
以上のように構成された加熱調理器は、ファン４を駆動することにより、吸込孔から加熱調理器本体１内に外部の空気が吸込まれ、この空気により加熱室１１部分を冷却することができる。また、ファン４により送風された空気はコントロールパネル５の内側を経て扉２の通気路２１に給気され、扉２を冷却しつつ外部に熱風として排気されることになるが、コントロールパネル５には通気口１０が設けられており、扉２には両側面に開口２２，２３する通気路２１が設けられており、さらにビルトインフレーム３には第１及び第２の通気孔３４，３５が設けられているため、ファン４により送風された空気はコントロールパネル５の内側を経て通気口１０及び開口２３から扉２の通気路２１に給気され、該通気路２１の開口２２から排気されつつビルトインフレーム３の第１の通気孔３４からビルトインフレーム３内に給気され、第２の通気孔３５から外部に排気される。このようにビルトインフレーム３に通気孔３４，３５が設けられており、扉２の通気路２１から排気された空気を、空気抵抗が小さい状態で各通気孔３４，３５から外部に排気することができ、扉２内の通気量を増加することができるため、コントロールパネル５に設けられた操作部６及び扉２の昇温抑制効果を高めることができる。尚、扉２の通気路２１から排気されるとき、ビルトインフレーム３の第１の通気孔３４に入り切れなかった空気は扉２及びビルトインフレーム３間の隙間７から外部に排気され、また、ビルトインフレーム３の第２の通気孔３５から外部に排気し切れなかった空気は加熱調理器本体１の周面とカップボードＡの格納孔ａ内面との間の隙間Ｂに排気されるため、扉２内の通気量をより一層増加することができ、操作部６及び扉２の昇温抑制効果をより一層高めることができる。
【００４８】
また、扉２の排気口である開口２２は給気口である開口２３の開口面積よりも大きい開口面積としてあるため、扉２の通気路２１での空気抵抗を低減でき、通気路２１の空気を開口２２から排気させ易い。
【００４９】
実施の形態２
図５は本発明に係る加熱調理器の要部を横断した拡大平面図、図６は扉側部分の一部の構成を示す側面図である。この加熱調理器は実施の形態１のようにビルトインフレーム３の内枠部３１及び外枠部３２に通気孔３４，３５を設ける代わりに、内枠部３１にだけ通気孔３４を設け、通気孔３４からビルトインフレーム３内に給気された空気を、加熱調理器本体１の周面とカップボードＡの格納孔ａ内面との間の隙間Ｂに排気するようにしたものであり、外枠部３２には通気孔が設けられていない。
【００５０】
この加熱調理器にあっては、扉２の通気路２１を経て開口２２から排気されつつビルトインフレーム３の通気孔３４からビルトインフレーム３内に給気された空気は、加熱調理器本体１の周面とカップボードＡの格納孔ａ内面との間の隙間Ｂに排気することができる。この場合、ビルトインフレーム３の通気孔３４に入り切れなかった空気は扉２及びビルトインフレーム３間の隙間７から外部に排気されるため、扉２内の通気量を増加することができ、操作部６及び扉２の昇温抑制効果を高めることができる。
その他の構成及び作用は実施の形態１と同様であるため、同様の部品については同じ符号を付し、その詳細な説明及び作用効果の説明を省略する。
【００５１】
実施の形態３
図７は本発明に係る加熱調理器の要部を横断した拡大平面図、図８は扉側部分の一部の構成を示す側面図である。この加熱調理器は実施の形態２のようにビルトインフレーム３の内枠部３１にだけ通気孔３４を設けた構成において、内枠部３１及び外枠部３２の間に、カップボードＡの格納孔ａ内面と対向する隔板３７を設けたものである。この隔板３７は外枠部３２と平行的に対向し、外枠部３２の前後長さよりも長い前後長さを有する扁平板からなり、連結板部３３に結合されている。
【００５２】
この加熱調理器にあっては、扉２の通気路２１を通過して開口２２から排気されつつビルトインフレーム３の通気孔３４からビルトインフレーム３内に給気された空気は、隔板３７に当たり、カップボードＡの格納孔ａ内面に直接当たるのを防ぐことができる。従って、カップボードＡの格納孔ａ部分の温度上昇を抑制することができ、カップボードＡの耐久性を高めることができる。
その他の構成及び作用は実施の形態１と同様であるため、同様の部品については同じ符号を付し、その詳細な説明及び作用効果の説明を省略する。
【００５３】
実施の形態４
図９は本発明に係る加熱調理器の他の例の要部を横断した拡大平面図、図１０は扉の分解斜視図である。この加熱調理器は実施の形態１のように扉２が２枚のガラス板２１ｄ，２１ｅを有する構成に代えて、扉２が前後に離隔する３枚のガラス板２１ｄ，２１ｅ，２１ｆを有し、各ガラス板２１ｄ，２１ｅ，２１ｆ間の通気路２１，２１を開口２２，２３にそれぞれ連通させたものである。
【００５４】
この実施の形態において、扉２は両側面に開口２２，２３を有する    一側に給気孔２２を有し、他側に排気孔２３を有する    外枠２１ｂと、該外枠２１ｂの内側に保持された内枠２１ｃと、外枠２１ｂの前面側に保持された外側ガラス板２１ｄと、外枠２１ｂの内側で内枠２１ｃ及び外側ガラス板２１ｄ間に保持された中間ガラス板２１ｆと、内枠２１ｃに保持された内側ガラス板２１ｅとを備えており、各ガラス板２１ｄ，２１ｅ，２１ｆ間に通気路２１，２１が形成されており、各通気路２１，２１を開口２２，２３にそれぞれ連通させてある。尚、外枠２１ｂ及び内枠２１ｃが枠部材を構成している。
また、外側ガラス板２１ｄと中間ガラス板２１ｆとは加熱室１１の開口面積よりも大きくしてある。
【００５５】
この実施の形態にあっては、開口２３から扉２の通気路２１に給気された空気を、外側ガラス板２１ｄ及び中間ガラス板２１ｆ間の通気路２１と、中間ガラス板２１ｆ及び内側ガラス板２１ｅ間の通気路２１とのそれぞれに供給し、各通気路２１，２１を通過して開口２２から排気することができるため、扉２内の通気量を増加することができ、操作部６及び扉２の昇温抑制効果を高めることができる。
また、外側ガラス板２１ｄと中間ガラス板２１ｆとは加熱室１１の開口面積よりも大きくしてあるため、扉２の断熱効果を高めることができる。尚、加熱室１１の開口面積よりも大きくするガラス板は、外側ガラス板２１ｄ又は中間ガラス板２１ｆであってもよい。
その他の構成及び作用は実施の形態１、２と同様であるため、同様の部品については同じ符号を付し、その詳細な説明及び作用効果の説明を省略する。
【００５６】
以上説明した実施の形態では加熱調理器本体１にビルトインフレーム３が取付けられた加熱調理器について説明したが、ビルトインフレーム３は加熱調理器と別個に形成された構成とし、ビルトインフレーム３及び加熱調理器を単独で販売することができるようにしてもよい。この場合のビルトインフレーム３は実施の形態１乃至３のビルトインフレーム３と等しい構成となるため、その詳細な説明及び作用効果の説明を省略する。
【００５７】
また、以上説明した実施の形態では扉２の枢支側に開口２２を設け、反枢支側に開口２３を設けた構成としたが、その他、開口２２，２３は扉２の上部又は下部であってもよく、開口２２，２３の位置は特に制限されない。また、扉２の枢支位置も特に制限されない。
【図面の簡単な説明】
【００５８】
【図１】本発明に係る加熱調理器の構成を示す拡大正面図である。
【図２】要部を横断した拡大平面図である。
【図３】扉側部分の一部の構成を示す側面図である。
【図４】加熱調理器が埋込設置される部分の断面図である。
【図５】本発明に係る加熱調理器の要部を横断した拡大平面図である。
【図６】扉側部分の一部の構成を示す側面図である。
【図７】本発明に係る加熱調理器の要部を横断した拡大平面図である。
【図８】扉側部分の一部の構成を示す側面図である。
【図９】本発明に係る加熱調理器の他の例の要部を横断した拡大平面図である。
【図１０】扉の分解斜視図である。
【図１１】従来のビルトイン型加熱調理器の構成を示す拡大正面図である。
【図１２】従来の格納孔部分を縦断した側面図である。
【図１３】従来のビルトイン型加熱調理器の扉側部分の断面図である。
【図１４】従来の扉側部分の一部の構成を示す側面図である。
【符号の説明】
【００５９】
１    加熱調理器本体
１１  加熱室
２    扉
２１  通気路
２１ｂ  外枠
２１ｃ  内枠
２１ｄ、２１ｅ、２１ｆ  ガラス板
２２、２３  開口
３    ビルトインフレーム
３１  内枠部
３２  外枠部
３４，３５  通気孔
３７  隔板
ａ    格納孔
【図１】
2005245629.tif 000003
【図２】
2005245629.tif 000004
【図３】
2005245629.tif 000005
【図４】
2005245629.tif 000006
【図５】
2005245629.tif 000007
【図６】
2005245629.tif 000008
【図７】
2005245629.tif 000009
【図８】
2005245629.tif 000010
【図９】
2005245629.tif 000011
【図１０】
2005245629.tif 000012
【図１１】
2005245629.tif 000013
【図１２】
2005245629.tif 000014
【図１３】
2005245629.tif 000015
【図１４】
2005245629.tif 000016